(57)【要約】【課題】ライト及びホーンの組立作業性を向上したコンバインを提供する。【解決手段】コンバインを運転操作する運転操作部と、運転操作部の前部を覆うフロントカバー３２と、フロントカバー３２に着脱可能に支持される樹脂カバー４０と、樹脂カバー４０に着脱可能に支持され、運転操作部の前方を照らすライト４１と、樹脂カバー４０に着脱可能に支持され、警笛を発するホーン４２と、を備える。ライト４１及びホーン４２は、樹脂カバー４０に組み付けられることでサブアッシー化し、樹脂カバー４０をフロントカバー３２に組み付けることで容易に組み立てることができる。【選択図】図６
2019201606.tif 000002
【特許請求の範囲】
【請求項１】
前処理部によって穀稈を刈り取りつつ、脱穀部によって穀稈を脱穀するコンバインにおいて、
コンバインを運転操作する運転操作部と、
前記運転操作部の前部を覆うフロントカバーと、
前記フロントカバーに着脱可能に支持される樹脂カバーと、
前記樹脂カバーに着脱可能に支持され、前記運転操作部の前方を照らすライトと、
前記樹脂カバーに着脱可能に支持され、警笛を発するホーンと、を備える、
ことを特徴とするコンバイン。
【請求項２】
前記樹脂カバーは、前記樹脂カバーに取り付けられたホーンの前方を覆い、複数の孔を有するホーンカバーを有する、
ことを特徴とする請求項１に記載のコンバイン。
【請求項３】
前記ライトは、第１取付けブラケットを介して前記樹脂カバーに取り付けられ、
前記ホーンは、前記第１取付けブラケットとは異なる第２取付けブラケットを介して前記樹脂カバーに取り付けられる、
ことを特徴とする請求項１又２に記載のコンバイン。
【発明の詳細な説明】
【技術分野】
【０００１】
本発明は、走行しつつ穀稈を刈取・搬送するコンバインに係り、詳しくは、フロントカバーに対するライト及びホーンの組み付けに関する。
【背景技術】
【０００２】
従来、操縦部のステップ部から立設した操縦コラムの前面に沿ってコラムカバーを着脱可能に設けたコンバインが提案されている（特許文献１参照）。このコンバインでは、操縦部側にホーンが設けられ、コラムカバー側に前照灯としてのランプが設けられている。コラムカバーには、ホーンから発せられた警笛がコラムカバーの前方に吹鳴するために、複数の孔が形成されている。
【先行技術文献】
【特許文献】
【０００３】
【特許文献１】特開２０１１−７２２５５号公報
【発明の概要】
【発明が解決しようとする課題】
【０００４】
特許文献１に記載のコンバインは、ランプをコラムカバーに組み付けた後に、コラムカバーを操縦部に装着する。このため、例えばランプの点灯確認の際に、いちいちコラムカバーを操縦部に装着しなければならず、組立作業性に問題があった。更に、ライトを直接コラムカバーに取り付けるため、コラムカバーを傷つけてしまう虞があり、コラムカバーを傷つけないようにするために慎重になる必要があったために、組立作業性に問題があった。
【０００５】
また、ホーンが操縦部側に設けられているために、コラムカバーを装着した後でないと、ホーンから発せられコラムカバーの複数の孔を介してコラムカバーの前方に吹鳴された警笛の音圧をチェックすることができなかった。このため、ホーンとコラムカバーの孔との位置合わせが煩雑で、組立作業性に問題があった。
【０００６】
そこで、本発明は、ライト及びホーンを樹脂カバーに組み付けてサブアッシー化した後、樹脂カバーをフロントカバーに組み付け、もって上述した課題を解決したコンバインを提供することを目的とする。
【課題を解決するための手段】
【０００７】
本発明は、前処理部（５）によって穀稈を刈り取りつつ、脱穀部（９）によって穀稈を脱穀するコンバイン（１）において、
コンバイン（１）を運転操作する運転操作部（７）と、
前記運転操作部（７）の前部を覆うフロントカバー（３２）と、
前記フロントカバー（３２）に着脱可能に支持される樹脂カバー（４０）と、
前記樹脂カバー（４０）に着脱可能に支持され、前記運転操作部（７）の前方を照らすライト（４１）と、
前記樹脂カバー（４０）に着脱可能に支持され、警笛を発するホーン（４２）と、を備える、
ことを特徴とする。
【０００８】
例えば図６を参照して、前記樹脂カバー（４０）は、前記樹脂カバー（４０）に取り付けられたホーン（４２）の前方を覆い、複数の孔（４０ｃ）を有するホーンカバー（４０ｂ）を有する。
【０００９】
例えば図６を参照して、前記ライト（４１）は、第１取付けブラケット（４７）を介して前記樹脂カバー（４０）に取り付けられ、
前記ホーン（４２）は、前記第１取付けブラケット（４７）とは異なる第２取付けブラケット（４９）を介して前記樹脂カバー（４０）に取り付けられる。
【００１０】
なお、上述カッコ内の符号は、図面と対照するためのものであるが、何ら本発明の構成を限定するものではない。
【発明の効果】
【００１１】
請求項１に係る本発明によると、ライト及びホーンが樹脂カバーに組み付けられることでサブアッシー化するので、樹脂カバーを介してライト及びホーンをフロントカバーに対して容易に組み付けることができる。これにより、ライト及びホーンの組立作業性を向上できる。
【００１２】
請求項２に係る本発明によると、ホーンの前方を覆うホーンカバーを樹脂カバーに形成したので、樹脂カバーと一体にホーンカバーを容易に形成することができると共に、ホーンと複数の孔とを近接して設けることができ、複数の孔を小さくしてもホーンの警笛をフロントカバーの前方に十分に吹鳴させることができる。このため、複数の孔から排藁等の塵埃が侵入してくるのを低減できる。
【００１３】
請求項３に係る本発明によると、ライト及びホーンを異なる取付けブラケットによって樹脂カバーに取り付けるので、ライトの熱がホーンに伝達することを抑え、熱によるホーンの性能の低下や破損を防止できる。また、第１取付けブラケット及び第２取付けブラケットを別途構成したので、それぞれの形状を単純化でき、コストダウンできる。
【図面の簡単な説明】
【００１４】
【図１】本実施の形態に係るコンバインを示す全体平面図。
【図２】コンバインを示す全体側面図。
【図３】コンバインを示す全体正面図。
【図４】フロントカバー及び運転操作部を示す分解斜視図。
【図５】開いた状態のフロントカバーを示す側面図。
【図６】フロントカバー、樹脂カバー、ライト及びホーンの組み付け構成を示す分解斜視図。
【図７】樹脂カバー、ライト及びホーンがフロントカバーに組み付けられた状態を示し、（ａ）は全体斜視図、（ｂ）は配線を示す拡大斜視図。
【発明を実施するための形態】
【００１５】
以下、図面に沿って、本発明の実施形態について説明する。本実施の形態に係るコンバイン１は、図１、図２及び図３に示すように、左右一対のクローラ走行装置２に支持された走行機体３を有しており、走行機体３の前方には圃場の穀稈を刈取る前処理部５が昇降自在に設けられている。走行機体３の右側には、作業者が運転操作を行う運転操作部７が設けられており、走行機体３の左側には、前処理部５で刈取り・搬送された穀稈を脱穀処理及び選別処理する脱穀部９が設けられている。運転操作部７の後方には、脱穀部９で脱穀・選別された穀粒を貯蔵するグレンタンク１０が配置されており、このグレンタンク１０の後部には、グレンタンク１０内に貯蔵された穀粒を機外に排出するための排出オーガ１１が設けられている。
【００１６】
前処理部５は、穀稈を引き起こす引き起こし装置１２と、走行機体３の略々全幅に亘って穀稈を分草し得るように配置された複数のデバイダ１３と、左右端のデバイダ１３の外側から後方に延びるように配置され、未刈地側で外側に張り出されて穀稈を分草案内するナローガイド１５と、引き起こし装置１２によって引き起こされた穀稈を刈り取る刈刃１６と、刈り取られた穀稈を搬送する穀稈搬送装置１７と、を備えている。
【００１７】
穀稈搬送装置１７によって後方に搬送された穀稈は、走行機体３の左側に配置されるフィードチェーン１９によって挟持されながら後方に搬送される。そして、穀稈は、株元側がフィードチェーン１９によって挟持されて後方に搬送されつつ、穂先側が脱穀部９によって脱穀される。脱穀部９によって脱穀されることで穀稈から脱落した穀粒は、グレンタンク１０に貯蔵される。
【００１８】
運転操作部７は、作業者が着座する座席２０と、座席２０の左側に配置される側面パネル２１と、座席２０の前方に配置される前面パネル２２と、座席２０と前面パネル２２との間に配置され、作業者が乗る床面を構成するステップ部２３と、を有している。側面パネル２１には、走行機体３を前進、停止又は後進させる主変速レバー２５等が配置され、前面パネル２２には、前処理部５を昇降させると共にクローラ走行装置２を操作して走行機体３を旋回させるマルチステアリングレバー２６等が配置されている。
【００１９】
図４に示すように、ステップ部２３には、走行機体３の機体フレームに固定されるステップフレーム２７が設けられており、ステップフレーム２７からは、操縦フレーム２９が立設している。操縦フレーム２９は、略コ字状に折曲されており、操縦フレーム２９の高さ方向における中腹には、操縦コラム３０が固定されている。また、操縦フレーム２９には、作業者が後方を確認するためのミラー３１が取り付けられている。
【００２０】
運転操作部７の前部は、フロントカバー３２によって覆われており、フロントカバー３２は、ステップフレーム２７及び操縦フレーム２９に対して着脱可能に支持されている。フロントカバー３２の下部には、係合孔３２ａ，３２ａ（図６参照）が形成されており、フロントカバー３２の上部における左右側には、それぞれ取付孔３４，３４が形成されている。そして、ステップフレーム２７から上方に立設する係合ピン２７ａ，２７ａに上記係合孔３２ａ，３２ａが係合した状態で、取付孔３４，３４及び操縦フレーム２９に設けられた取付部２９ａ，２９ａにノブボルト等の取付ネジ３８，３８が螺合することで、フロントカバー３２がステップフレーム及び操縦フレーム２９に対して固定される。このように、運転操作部７の前部がフロントカバー３２に覆われることで、外観性を向上することができる。
【００２１】
図５に示すように、フロントカバー３２は、係合ピン２７ａに係合した状態で取付ネジ３８が取り外されることで、係合ピン２７ａを中心に前方へ回動することができる。そして、フロントカバー３２が所定角度前方に開いた状態で、フロントカバー３２の下部に設けられた不図示の保持部がステップフレーム２７又は操縦フレーム２９に引っ掛かり、フロントカバー３２を開いた状態で保持することができる。
【００２２】
図６に示すように、フロントカバー３２の中央部には、開口３５が形成されており、開口３５の周囲には、図３に示すように、僅かに前方に張り出したリブ３６が形成されている。リブ３６は、フロントカバー３２の略全幅に亘って形成されている。また、図６に示すように、フロントカバー３２の背面側かつリブ３６の周囲には、雌ネジを有する複数（本実施の形態では４つ）の取付けボス３７が形成されている。
【００２３】
フロントカバー３２の取付けボス３７には、取付ネジ３９を介して、樹脂カバー４０が着脱可能に支持されている。樹脂カバー４０は、運転操作部７の前方を照らすライト４１が挿入されるライト孔４０ａと、警笛を発するホーン４２の前方を覆うホーンカバー４０ｂと、を有している。
【００２４】
ホーンカバー４０ｂには、円形状のホーンカバー４０ｂの中心から異なる半径で周方向に延びる複数の孔４０ｃが形成されており、ホーン４２から発せられた警笛は、複数の孔４０ｃを通って運転操作部７の前方に吹鳴される。樹脂カバー４０の背面側には、雌ネジを有する複数（本実施の形態では３つ）のライト取付け用ボス４３と、雌ネジを有する複数（本実施の形態では２つ）のホーン取付け用ボス４５と、が形成されている。
【００２５】
ライト４１は、ライト取付け用ブラケット４７（第１取付けブラケット）に回動軸４６を中心に回動可能に支持されており、ホーン４２は、ホーン取付け用ブラケット４９（第２取付けブラケット）に支持されている。そして、ライト４１は、ライト取付け用ブラケット４７を介して、樹脂カバー４０のライト取付け用ボス４３に取付ネジ５０によって取り付けられ、ホーン４２は、ホーン取付け用ブラケット４９を介して、樹脂カバー４０のホーン取付け用ボス４５に取付ネジ５１によって取り付けられる。すなわち、ライト４１及びホーン４２は、樹脂カバー４０に着脱可能に支持されており、樹脂カバー４０に取り付けられることでサブアッシーとなる。
【００２６】
図７は、ライト４１及びホーン４２が樹脂カバー４０に取り付けられ、樹脂カバー４０がフロントカバー３２に取り付けられた状態を示す斜視図である。図７（ａ）に示すように、ライト４１からは、配線５２が後方に延びており、ホーン４２の側部には、配線が接続される端子５４が設けられている。
【００２７】
図７（ｂ）に示すように、ライト４１から延びる配線５２は、端子５２ａによって束線Ｗに接続され、束線Ｗは、ホーン４２の端子５４にも接続されている。そして、束線Ｗは、合流部５３においてそれぞれの配線が合流し、複数のガイド５５によって案内される。束線Ｗの端部にはコネクタ５６が設けられており、コネクタ５６は、運転操作部７側の配線と接続される。束線Ｗ及び配線５２を介して、ライト４１及びホーン４２には、電源及び信号が供給される。
【００２８】
本実施の形態は、以上のように構成されるため、作業者は、まず、ライト取付け用ブラケット４７及びホーン取付け用ブラケット４９を介して、ライト４１及びホーン４２をそれぞれ樹脂カバー４０に組み付ける。このとき、ライト４１は、回動軸４６を中心に上下方向に回動可能に支持されているため、樹脂カバー４０のライト孔４０ａの縁部にライト４１の外周が押し付けられることで、自動的にライト４１の光軸が合うように構成されている。なお、ライト４１とライト孔４０ａの縁部との間には、僅かにクリアランスが設けられており、ライト４１の光軸を手動で調整することもできる。
【００２９】
また、ライト４１は、ＬＥＤによって構成されているため、点灯中の発熱が少ない。特にライト４１の照射側である前面側の発熱を抑えることができ、作業者等がライト４１を触れても火傷等をしないように構成されている。また、ライト４１の基板側（背面側）においても、ライト４１とホーン４２が別々の取付けブラケットによって樹脂カバー４０に取り付けられているので、ライト４１の熱がホーン４２に伝わらず、熱による影響を低減することができる。そして、ライト取付け用ブラケット４７及びホーン取付け用ブラケット４９の形状を簡単にして加工コストを抑えることができると共に、ライト４１とホーン４２とを近接して設けることができるので、コンパクトに配置することができる。
【００３０】
一方で、樹脂カバー４０には、組み付けられたホーン４２の前方にホーンカバー４０ｂが設けられており、ホーンカバー４０ｂには複数の孔４０ｃが設けられている。樹脂カバー４０は、比較的小型かつ形状が単純であるため、射出成型等によってホーンカバー４０ｂ及び複数の孔４０ｃを容易に形成することができ、コストダウンできる。
【００３１】
また、樹脂カバー４０に対してホーン４２が組み付けられるため、樹脂カバー４０のホーンカバー４０ｂとホーン４２とを近接して設けることができる。このため、ホーンカバー４０ｂの複数の孔４０ｃを小さく形成しても、ホーン４２の警笛を十分にフロントカバー３２の前方に吹鳴させることができ、複数の孔４０ｃから排藁等の塵埃が侵入してくるのを低減できる。
【００３２】
次に、作業者は、ライト４１及びホーン４２が取り付けられてサブアッシー化された樹脂カバー４０をフロントカバー３２に組み付ける。このように、電装部品であるライト４１及びホーン４２を最小単位のアセンブリで構成しているため、ライト４１及びホーン４２の組立作業性を向上することができる。
【００３３】
例えば、ライト４１及びホーン４２が直接フロントカバー３２に組み付けられる場合に比して、まずライト４１及びホーン４２は樹脂カバー４０に組み付けられるため、ライト４１及びホーン４２の組み付けの際にフロントカバー３２を傷つけることはない。そして、樹脂で形成され、組み付け箇所の少ない樹脂カバー４０は、フロントカバー３２を傷つけることなく容易にフロントカバー３２に対して組み付けることができる。樹脂カバー４０のフロントカバー３２に対する組み付けが容易であるため、図５に示すように、フロントカバー３２を半開きにした状態でも樹脂カバー４０をフロントカバー３２に組み付けることができ、光軸合わせ等を容易に行うことができる。
【００３４】
また、例えば、サブアッシー化した樹脂カバー４０に連結された束線Ｗを運転操作部７側の配線に接続することで、ライト４１の点灯確認やホーン４２の吹鳴確認を行うことができ、組立作業性を向上できる。また、電装部品であるライト４１及びホーン４２をまとめたので、配線を簡素化することができる。
【００３５】
更に、仕様やクラスの変更により、ライトの数や配置を変更する等のバリエーション展開があった場合、樹脂カバー４０の形状を変更することで、これらのバリエーション展開を実現することができる。例えば、ライト１個及びホーン１個の仕様と、ライト２個の仕様と、が樹脂カバー４０を変更することで実現できる。すなわち、大型のフロントカバー３２の形状を変更する場合には、コストがかかるが、小型の樹脂カバー４０の変更は安価であるため、コストダウンできる。
【００３６】
また、ホーン４２をサブアッシー化した樹脂カバー４０を介してフロントカバー３２に一体的に組み付けたので、ホーン４２とホーンカバー４０ｂの複数の孔４０ｃとの位置関係がずれてホーン４２の音圧がバラつくことを防止できる。
【００３７】
そして、ライト４１及びホーン４２は、フロントカバー３２の面方向に並べて配置されているため、樹脂カバー４０が面方向に幅広に形成されている。このため、樹脂カバー４０のフロントカバー３２に対する取付けピッチを容易に大きくすることができ、支持強度を確保することができる。更に、フロントカバー３２に補強用のリブ３６を形成したため、樹脂カバー４０を安定して組み付けることができる。これにより、ホーン４２の共振を防止することができ、ホーン４２の音圧が安定し、ホーン４２の性能を確保することができる。
【００３８】
また、ライト４１は、前処理部５の機体外側かつホーン４２の機体内側に配置されているため、路上走行時や刈取作業時にライト４１が障害物等により破損するのを防止できる。更に、リブ３６が庇の機能を果たすことにより、雨等でライト４１及びホーン４２が濡れることを防止できる。また、樹脂カバー４０を面方向に幅広に形成したことで、サブアッシー部品の前後幅を抑えることができ、フロントカバー３２が前方へ大きく出っ張ってデバイダ１３等を作業者が見る時に邪魔になることを防止できる。
【００３９】
また、フロントカバー３２と樹脂カバー４０とを別体に構成しているため、それぞれを最適な素材で構成することができる。例えば、フロントカバー３２を衝撃に強い樹脂素材から構成し、樹脂カバー４０を熱に強い樹脂素材から構成することができる。
【００４０】
なお、本実施の形態では、ライト４１がホーン４２よりも機体内側に配置されているが、逆でもよい。また、フロントカバー３２にリブ３６を形成しなくてもよい。更に、フロントカバー３２や樹脂カバー４０の形状は限定されない。また、ライト４１やホーン４２の数は、１個に限らず、２個以上でもよい。
【符号の説明】
【００４１】
１：コンバイン
５：前処理部
７：運転操作部
９：脱穀部
３２：フロントカバー
４０：樹脂カバー
４０ｂ：ホーンカバー
４０ｃ：複数の孔
４１：ライト
４２：ホーン
４７：第１取付けブラケット（ライト取付け用ブラケット）
４９：第２取付けブラケット（ホーン取付け用ブラケット）
【図１】
2019201606.tif 000003
【図２】
2019201606.tif 000004
【図３】
2019201606.tif 000005
【図４】
2019201606.tif 000006
【図５】
2019201606.tif 000007
【図６】
2019201606.tif 000008
【図７】
2019201606.tif 000009